(57)【要約】【課題】記録材を吸収して膨潤する比率が異なる複数種類の記録媒体に対して十分な記録品質を確保することができる記録装置を提供する。【解決手段】記録用紙にインクを吐出させて印刷処理を施す記録ヘッドと、記録用紙を支持可能な複数の昇降ユニット２６が記録ヘッド側への突出態様を調整自在に設けられたプラテン１４と、記録用紙がインクを吸収して膨潤する比率に応じて、昇降ユニット２６の記録ヘッド側への突出態様を調整する駆動軸２９，３０と、を備えた。【選択図】図３
2010201780.tif 000002
【特許請求の範囲】
【請求項１】
記録媒体に記録材を付着させて記録処理を施す記録手段と、
前記記録媒体を支持可能な複数の支持部が前記記録手段側への突出態様を調整自在に設けられた支持手段と、
前記支持部の前記記録手段側への突出態様を調整する調整手段と、
を備えたことを特徴とする記録装置。
【請求項２】
請求項１に記載の記録装置において、
前記調整手段は、前記支持部の前記記録手段側への突出寸法、突出位置、及び突出個数のうち少なくとも１つを調整することを特徴とする記録装置。
【請求項３】
請求項１または２に記載の記録装置において、
前記調整手段は、記録媒体の種類に応じて前記支持部の突出態様を調整することを特徴とする記録装置。
【請求項４】
請求項３に記載の記録装置において、
前記調整手段は、前記記録媒体が前記記録材を吸収して膨潤する比率が相対的に大きい記録媒体の場合には、前記比率が相対的に小さい記録媒体の場合よりも、前記支持部の前記記録手段側への突出寸法を増大させることを特徴とする記録装置。
【請求項５】
請求項１〜請求項３のうち何れか一項に記載の記録装置において、
前記調整手段は、前記記録媒体が前記記録材を吸収して膨潤する比率が相対的に大きい記録媒体の場合には、前記比率が相対的に小さい記録媒体の場合よりも、前記支持部の前記記録手段側への突出位置を前記複数の支持部間の間隔が狭小になるように調整することを特徴とする記録装置。
【請求項６】
請求項１〜請求項４のうち何れか一項に記載の記録装置において、
前記調整手段は、前記記録媒体が前記記録材を吸収して膨潤する比率が相対的に大きい記録媒体の場合には、前記比率が相対的に小さい記録媒体の場合よりも、前記支持部の前記記録手段側への突出個数を前記複数の支持部間の間隔が狭小になるように調整することを特徴とする記録装置。
【請求項７】
搬送される記録媒体に対して記録材を吐出する記録ヘッドと、
前記記録ヘッドと対向する位置において前記記録媒体の搬送方向に沿って並設されると共に、前記記録ヘッドからの所定の離間距離で前記記録媒体を支持するための頂部を有した第１及び第２の支持部と、を備え、
前記第１の支持部に係る前記頂部の離間距離が、前記第２の支持部に係る前記頂部の離間距離に対して相対的に変更可能である記録装置。
【発明の詳細な説明】
【技術分野】
【０００１】
本発明は、記録装置に係り、詳しくは記録材を吸収して膨潤する比率が異なる複数種類の記録媒体に対して十分な記録品質を確保することができる記録装置に関する。
【背景技術】
【０００２】
従来、記録媒体に記録を行う記録装置として、インクジェット式記録装置（以下、「プリンター」という。）が広く知られている。このプリンターでは、インクカートリッジから供給されるインクを記録ヘッドから記録媒体に噴射することにより印刷を行うようになっている。また、こうしたプリンターにおいて、近時では、記録媒体が、記録ヘッドから噴射されたインクを吸収して膨潤することに伴って、局所的に大きく湾曲することを抑制する技術が提案されている（例えば、特許文献１参照）。
【０００３】
すなわち、特許文献１に示すプリンターでは、シート（記録媒体）を支持するプラテンの上面に、複数の凸部が、プラテンの上面から鉛直上方に突出するように、シートの搬送方向と直交する幅方向に間隔をおいて列設されている。そして、プラテンの凸部上に載置されたシートが記録ヘッドから噴射されたインクを吸収して膨潤した場合には、その膨潤に伴い撓み変形した部分を、プラテン上の各凸部間に形成された凹空間域内に、該シートの幅方向の伸長を相殺するように落ち込ませていた。すなわち、シートは、その膨潤に伴う撓み変形部分を、幅方向で隣り合う凸部間の凹空間域毎に分散して落ち込ませることにより、記録ヘッド側へ局所的に大きく湾曲することが抑制されるようになっていた。
【先行技術文献】
【特許文献】
【０００４】
【特許文献１】特開２０００−１５８６４４号公報
【発明の概要】
【発明が解決しようとする課題】
【０００５】
ところで、特許文献１に示すプリンターでは、プラテンの上面から突出された各凸部の突出態様及び各凸部間に形成される凹空間域の大きさを変更することができない構成となっていた。そのため、プラテンの凸部上に載置されたシートがインクを吸収して膨潤した場合において、その膨潤に伴う撓み変形量がプラテン上の凹空間域内に収まりきらないほど大きかった場合には、シートが記録ヘッド側に向けて局所的に大きく湾曲し、記録ヘッドのインク吐出口に接触して汚染される虞があった。
【０００６】
本発明は、このような事情に鑑みてなされたものであり、その目的は、記録材を吸収して膨潤する比率が異なる複数種類の記録媒体に対して十分な記録品質を確保することができる記録装置を提供することにある。
【課題を解決するための手段】
【０００７】
上記目的を達成するために、本発明の記録装置は、記録媒体に記録材を付着させて記録処理を施す記録手段と、前記記録媒体を支持可能な複数の支持部が前記記録手段側への突出態様を調整自在に設けられた支持手段と、前記支持部の前記記録手段側への突出態様を調整する調整手段と、を備えた。
【０００８】
上記構成によれば、複数の支持部により記録媒体を支持する支持手段は、各支持部の記録手段側への突出態様が調整されることにより、各支持部間の凹空間域の大きさが変更される。そのため、記録媒体が記録材を吸収して膨潤した場合であっても、その撓み変形部分が凹空間域内に落ち込んで収容されると、記録媒体は局所的に大きく湾曲することが抑制される。したがって、記録材を吸収して膨潤する比率が異なる複数種類の記録媒体に対して十分な記録品質を確保することができる。
【０００９】
また、本発明の記録装置において、前記調整手段は、前記支持部の前記記録手段側への突出寸法、突出位置、及び突出個数のうち少なくとも１つを調整する。
上記構成によれば、支持部の記録手段側への突出寸法、突出位置、及び突出個数のうち少なくとも一つを調整することにより、記録媒体の膨潤に伴う撓み変形部分を落ち込ませて収容するための凹空間域の大きさを簡便に調整することができる。
【００１０】
また、本発明の記録装置において、前記調整手段は、記録媒体の種類に応じて前記支持部の突出態様を調整する。
上記構成によれば、各支持部の記録手段側への突出態様が、それらの支持部により支持される記録媒体の種類に応じて調整されるため、各支持部間の凹空間域の大きさが各種記録媒体の膨潤に伴う撓み変形部分に対応した大きさに調整され得る。そして、記録媒体は、その撓み変形部分が、記録媒体の種類に応じて調整された凹空間域内に落ち込んで収容されることにより、記録媒体が局所的に大きく湾曲することが抑制される。したがって、記録材を吸収して膨潤する比率が異なる複数種類の記録媒体に対して十分な記録品質を確保することができる。
【００１１】
また、本発明の記録装置において、前記調整手段は、前記記録媒体が前記記録材を吸収して膨潤する比率が相対的に大きい記録媒体の場合には、前記比率が相対的に小さい記録媒体の場合よりも、前記支持部の前記記録手段側への突出寸法を増大させる。
【００１２】
上記構成によれば、記録媒体が記録材を吸収して膨潤する比率が相対的に大きい記録媒体の場合には、支持部の記録手段側への突出寸法を増大させることにより、記録媒体の膨潤に伴う撓み変形部分を落ち込ませて収容するための凹空間域の大きさが増大する。そのため、記録媒体が記録材を吸収して大きく膨潤する場合であっても、該記録媒体の膨潤に伴う撓み変形部分を確実に凹空間域内に落ち込ませて収容することができる。一方、記録媒体が記録材を吸収して膨潤する比率が相対的に小さい記録媒体の場合には、支持部の記録手段側への突出寸法を減少させることにより、記録媒体の膨潤に伴う撓み変形部分を落ち込ませて収容するための凹空間域の大きさが減少する。そのため、記録媒体は、記録材を吸収して小さく膨潤する記録媒体の場合であって且つ例えば剛性が低いような記録媒体の場合にも、その記録用紙Ｐの膨潤に伴う撓み変形部分が不必要に大きく凹空間域内に落ち込むことが抑制されるため、記録媒体の平面性を維持することができる。すなわち、記録媒体が記録材を吸収して膨潤する比率に応じて、記録媒体の平面性が適宜調整されることにより、これらの記録媒体に対して十分な記録品質を確保することができる。
【００１３】
また、本発明の記録装置において、前記調整手段は、前記記録媒体が前記記録材を吸収して膨潤する比率が相対的に大きい記録媒体の場合には、前記比率が相対的に小さい記録媒体の場合よりも、前記支持部の前記記録手段側への突出位置を前記複数の支持部間の間隔が狭小になるように調整する。
【００１４】
上記構成によれば、記録媒体が記録材を吸収して膨潤する比率に応じて、支持手段における各支持部間の間隔が調整されることにより、各支持部間の凹空間域の大きさが適宜調整される。そのため、記録材を吸収して膨潤する比率が異なる各種の記録媒体における膨潤に伴う撓み変形部分を、それらと対応した大きさに調整された凹空間域内に確実に落ち込ませて収容できる。
【００１５】
また、本発明の記録装置において、前記調整手段は、前記記録媒体が前記記録材を吸収して膨潤する比率が相対的に大きい記録媒体の場合には、前記比率が相対的に小さい記録媒体の場合よりも、前記支持部の前記記録手段側への突出個数を前記複数の支持部の前記支持面上での隣り合う間隔が狭小になるように調整する。
【００１６】
上記構成によれば、記録媒体が記録材を吸収して膨潤する比率に応じて、支持手段における支持部の突出個数の調整を通じて各支持部間の間隔が調整されることにより、各支持部間の凹空間域の大きさが適宜調整される。そのため、記録材を吸収して膨潤する比率が異なる各種の記録媒体における膨潤に伴う撓み変形部分を、それらと対応した大きさに調整された凹空間域内に確実に落ち込ませて収容できる。
【００１７】
また、本発明の記録装置は、搬送される記録媒体に対して記録材を吐出する記録ヘッドと、前記記録ヘッドと対向する位置において前記記録媒体の搬送方向に沿って並設されると共に、前記記録ヘッドからの所定の離間距離で前記記録媒体を支持するための頂部を有した第１及び第２の支持部と、を備え、前記第１の支持部に係る前記頂部の離間距離が、前記第２の支持部に係る前記頂部の離間距離に対して相対的に変更可能である。
【００１８】
上記構成によれば、第１の支持部及び第２の支持部は、各頂部の記録ヘッドに対する離間距離が相対的に変更されることにより、これらの支持部のうち、頂部が記録ヘッド側に近接して配置された支持部の間に形成される凹空間域の大きさが変更される。そのため、記録媒体が記録材を吸収して膨潤した場合であっても、その撓み変形部分が凹空間域内に落ち込んで収容されると、記録媒体は局所的に大きく湾曲することが抑制される。したがって、膨潤する比率が異なる複数種類の記録媒体に対して十分な記録品質を確保することができる。
【図面の簡単な説明】
【００１９】
【図１】第１の実施形態のプリンターを示す斜視図。
【図２】第１の実施形態のプラテンを示す斜視図。
【図３】第１の実施形態のプラテンを示す断面図。
【図４】第１の実施形態の第１駆動軸及び第２駆動軸を示す斜視図。
【図５】（ａ）は第１駆動軸が回転駆動する前のプラテンの状態を示す模式図、（ｂ）は（ａ）に示す状態から第１駆動軸が回転駆動した後のプラテンの状態を示す模式図、（ｃ）は（ｂ）に示す状態から第１駆動軸が更に回転駆動した後のプラテンの状態を示す模式図、（ｄ）は（ｃ）に示す状態から第２駆動軸が回転駆動した後のプラテンの状態を示す模式図。
【図６】第２の実施形態のプラテンを示す断面図。
【図７】第２の実施形態の第１駆動軸及び第２駆動軸を示す斜視図。
【図８】（ａ）は第１駆動軸が回転駆動する前のプラテンの状態を示す模式図、（ｂ）は（ａ）に示す状態から第１駆動軸が回転駆動した後のプラテンの状態を示す模式図、（ｃ）は（ｂ）に示す状態から第２駆動軸が回転駆動した後のプラテンの状態を示す模式図。
【発明を実施するための形態】
【００２０】
（第１の実施形態）
以下、本発明を記録装置の一種であるインクジェット式プリンター（以下、「プリンター」という。）に具体化した第１の実施形態を図１〜図５に従って説明する。なお、以下における本明細書中の説明において、「前後方向」、「上下方向」、「左右方向」をいう場合には図中に矢印で示す方向をそれぞれ示すものとする。
【００２１】
図１に示すように、本実施形態に係る記録装置としてのプリンター１１は、平面視矩形状をなすフレーム１２を備えている。そして、フレーム１２の後面側の上部には、記録媒体としての記録用紙Ｐをフレーム１２内に給送するための給紙トレイ１３が装着されている。また、フレーム１２内には、支持手段としてのプラテン１４が左右方向（すなわち、記録用紙Ｐの搬送方向と直交する方向であって記録用紙Ｐの幅方向に沿う方向）に延設されている。そして、プラテン１４上には、フレーム１２の後面下部に配設された紙送りモーター１５の回転駆動に基づき、給紙トレイ１３上から記録用紙Ｐが給送されるようになっている。また、フレーム１２内におけるプラテン１４の上方には、該プラテン１４の長手方向（左右方向）と平行に延びるガイド軸１６が架設されている。
【００２２】
ガイド軸１６には、キャリッジ１７が、ガイド軸１６の軸線方向（左右方向）に沿って往復移動可能に支持されている。また、フレーム１２内の後面においてガイド軸１６の両端部と対応する位置には、駆動プーリー１８及び従動プーリー１９が回転自在に支持されている。駆動プーリー１８には、キャリッジ１７を往復移動させる際の駆動源となるキャリッジモーター２０が連結され、これら一対のプーリー１８，１９間には、キャリッジ１７に一部を固定したタイミングベルト２１が掛装されている。したがって、キャリッジ１７は、キャリッジモーター２０の駆動により、ガイド軸１６にガイドされながらタイミングベルト２１を介して左右方向に移動するようになっている。
【００２３】
また、キャリッジ１７の下面には、記録手段としての記録ヘッド２２が設けられている。一方、キャリッジ１７上には記録ヘッド２２に対して記録材及び流体としてのインクを供給するための複数（本実施形態では２つ）のインクカートリッジ２３，２４が着脱可能に搭載されている。これら各インクカートリッジ２３，２４は、記録ヘッド２２の下面に形成された複数のノズル開口列（図示略）と個別に対応するものであり、記録ヘッド２２内に形成されたインク流路（図示略）を介して対応するノズル列にインクを個別に供給する構成とされている。
【００２４】
次に、本実施形態のプラテン１４の構成について図２〜図４に従って説明する。
図２及び図３に示すように、本実施形態のプラテン１４は、記録用紙Ｐの幅寸法よりも左右方向に長い平面視矩形状に形成されて、上面２５ａ側が開口した有底略四角箱状をなす基体部２５を有している。基体部２５の開口内には、複数（本実施形態では１７個）の矩形板状をなす支持部としての昇降ユニット２６が左右方向において対向面同士を面接触させた配置態様で収容されている。また、これらの昇降ユニット２６は、記録用紙Ｐに対する支持面として機能する各々の上端面が基体部２５の上面２５ａよりも上方に位置する突出状態において、記録ヘッド２２側への突出態様が昇降ユニット２６毎に調整自在、すなわち、上下方向への変位自在に配置されている。
【００２５】
基体部２５の左右各側壁には、複数対（本実施形態では２対）の挿通孔２７，２８が左右方向に貫通するように形成されている。そして、これらの挿通孔２７，２８のうち、後方側の挿通孔２７には、左右方向に延びる駆動軸２９が、基体部２５内において昇降ユニット２６の下面よりも下方位置を略水平に延びるように回動自在に軸支されている。一方、後方側の挿通孔２７よりも少し高い位置に形成された前方側の挿通孔２８には、同じく左右方向に延びる駆動軸３０が、基体部２５内において昇降ユニット２６の下面よりも下方位置を後方側の駆動軸２９と平行に延びるように回動自在に軸支されている。
【００２６】
そして、図３及び図４に示すように、これらの駆動軸２９，３０のうち、後方側に位置する第１駆動軸２９には、外周面をカム面とする複数（本実施形態では５つ）の円形状の第１カム３１が、第１駆動軸２９の長手方向（左右方向）に等間隔の配置態様で、第１駆動軸２９と一体回転するように支持されている。なお、これらの第１カム３１は、第１駆動軸２９に対して、該第１駆動軸２９が第１カム３１の径方向の中心から外れた位置（偏心位置）を挿通した状態で固定されている。そのため、第１カム３１は、第１駆動軸２９の回転駆動に伴って、第１駆動軸２９の軸線周りに偏心して該第１駆動軸２９と一体回転する偏心カムとして機能するようになっている。
【００２７】
また、第１駆動軸２９における、各第１カム３１間の中間位置には、第１カム３１よりも小さな径で同じく外周面をカム面とする複数（本実施形態では、４つ）の円形状の第２カム３２が支持されている。なお、第２カム３２は、第１駆動軸２９が第２カム３２の径方向の中心位置を挿通しているため、第１駆動軸２９の回転駆動に伴って、第１駆動軸２９の軸線周りに同心状に該第１駆動軸２９と一体回転するようになっている。
【００２８】
一方、第１駆動軸２９よりも少し高い位置で前方側に位置する第２駆動軸３０には、第１駆動軸２９によって支持される第１カム３１及び第２カム３２よりも更に小さな径で同じく外周面をカム面とする複数（本実施形態では８つ）の円形状の第３カム３３が、第２駆動軸３０の長手方向（左右方向）に等間隔の配置態様で、第２駆動軸３０と一体回転するように支持されている。そして、これらの第３カム３３は、第２駆動軸３０に対して、該第２駆動軸３０が第３カム３３の径中心から外れた位置（偏心位置）を挿通した状態で固定されている。そのため、第３カム３３は、第２駆動軸３０の回転駆動に伴って、第２駆動軸３０の軸心周りに偏心して該第２駆動軸３０と一体回転する偏心カムとして機能するようになっている。なお、第３カム３３は、第２駆動軸３０の軸線方向において、第１駆動軸２９の軸線方向で互いに隣り合う第１カム３１と第２カム３２との中間位置に各々対応する各位置に配置されている。
【００２９】
また、これらの各カム３１，３２，３３の上側には、左右方向に並び配置された複数の昇降ユニット２６のうち何れか一つの昇降ユニット２６が、それぞれの下面を上下方向で個別に対応するカム３１，３２，３３に当接させるように載置されている。なお、本実施形態では、第１駆動軸２９の軸線上に位置する第１カム３１によって支持される昇降ユニット２６を第１の支持部としての第１昇降ユニット３４、第１駆動軸２９の軸線上に位置する第２カム３２によって支持される昇降ユニット２６を第２の支持部としての第２昇降ユニット３５、第２駆動軸３０の軸線上に位置する第３カム３３によって支持される昇降ユニット２６を第３昇降ユニット３６として規定する。また、第１及び第２の支持部としてのこれらの昇降ユニット３４，３５の上端面が、記録用紙Ｐを支持するための頂部として機能する。
【００３０】
そして、第１昇降ユニット３４及び第３昇降ユニット３６には、基体部２５の内面と各昇降ユニット２６（３４，３５，３６）の下面とで囲み形成される内部空間３７を外部に連通するように、各昇降ユニット３４，３６を上下方向に貫通する円形状の吸引孔３８がそれぞれ形成されている。また、基体部２５の下面中央部には、内部空間３７を外部に連通する連通孔３９が形成されており、該連通孔３９を塞ぐように吸引ファン４０を有する誘引送風機４１が設けられている。そして、誘引送風機４１の駆動により吸引ファン４０が回転すると、連通孔３９を介して内部空間３７が吸引されて負圧が発生する結果、各吸引孔３８からの吸引力が第１昇降ユニット３４及び第３昇降ユニット３６上に載置された記録用紙Ｐに及んで、記録用紙Ｐがこれらの昇降ユニット３４，３６の上面に吸着されるようになっている。
【００３１】
また、第２昇降ユニット３５の上面には、左右方向の幅寸法が異なる複数種類の記録用紙Ｐが、給紙トレイ１３からプラテン１４上に給送されることを想定して、第２昇降ユニット３５の上面において各種記録用紙Ｐの幅方向の紙端に対応する位置に凹溝４２がそれぞれ形成されている。そして、これらの凹溝４２によって、記録用紙Ｐの幅方向の余白をゼロにする縁無し印刷に際して、記録ヘッド２２から記録用紙Ｐの幅方向の外側を通過して廃棄された廃インクを回収するようになっている。
【００３２】
次に、本実施形態のプリンター１１の作用について、特に、プラテン１４上に載置された記録用紙Ｐが記録ヘッド２２から吐出されたインクを吸収して膨潤した際に、その膨潤に伴う記録用紙Ｐの撓み変形部分を落ち込ませるプラテン１４上の凹空間域Ｓの大きさを調整する際の作用について図３及び図５に従って説明する。
【００３３】
さて、本実施形態のプリンター１１では、図３及び図５（ａ）に示すように、初期設定状態として、各昇降ユニット２６（３４，３５，３６）は、各々の上端面が略同一高さとなるように、記録ヘッド２２側への突出態様が設定される。そして、この初期設定状態では、第１カム３１及び第２カム３２を支持する第１駆動軸２９は、第２カム３２の外周面（カム面）を第２昇降ユニット３５の下面に当接させつつ、第１カム３１における第１駆動軸２９の軸線からの距離が最も小さいカム面領域を第１昇降ユニット３４の下面に当接させた状態で回転停止している。すなわち、初期設定状態において、第１カム３１は、その外周面（カム面）における第１駆動軸２９の軸線からの距離が最も大きいカム面領域（以下「凸面域」という。）が第１昇降ユニット３４の下面から最も離れた鉛直下方に位置するようになっている。
【００３４】
また、図３に示すように、この初期設定状態において、第３カム３３を支持する第２駆動軸３０は、第３カム３３における第２駆動軸３０の軸線からの距離が最も小さいカム面領域を第３昇降ユニット３６の下面に当接させた状態で回転停止している。すなわち、初期設定状態において、第３カム３３は、その外周面（カム面）における第２駆動軸３０の軸線からの距離が最も大きいカム面領域である凸面域が第３昇降ユニット３６の下面から最も離れた鉛直下方に位置するようになっている。
【００３５】
以上のような初期設定状態において、プラテン１４上に給送された記録用紙Ｐは、図５（ａ）において一点鎖線で示すように、これらの略同一高さとされた各昇降ユニット３４，３５，３６の上端面によって、平面性が維持された状態でその全域が均等に支持される。そして、その状態において記録ヘッド２２からインクが噴射されることにより印刷が施されることになる。
【００３６】
ここで、記録用紙Ｐはインクの吸収により膨潤して撓み変形することがあるが、この図５（ａ）に示すように各昇降ユニット３４，３５，３６の上端面が略同一高さである場合には、撓み変形部分が下方へは変形できないために上方に湾曲することになり、記録ヘッド２２に接触する虞がある。そこで、本実施形態の場合は、以下のように、記録用紙Ｐがインクを吸収して膨潤する比率に応じて、プラテン１４における各昇降ユニット３４，３５，３６の記録ヘッド２２側への突出態様が調整される。
【００３７】
まず、記録用紙Ｐの膨潤比率が相対的に小さい場合には、初期設定状態を示す図５（ａ）の状態から第１駆動軸２９を回転駆動することによって、第１駆動軸２９によって支持される第１カム３１が、その外周面（カム面）における凸面域を鉛直方向で第１駆動軸２９の軸線と略同じ高さとなる位置に至るまで回動する。すると、第１昇降ユニット３４は、第１カム３１が第１駆動軸２９の軸線に対して鉛直上方に張り出す寸法を増大させた分だけ、他の昇降ユニット３５，３６よりも鉛直上方への突出寸法が少しだけ大きくなるように第１カム３１によって押し上げられる（図５（ｂ）参照）。
【００３８】
また同様に、第１駆動軸２９によって支持される第２カム３２は、第１駆動軸２９の回転駆動に連動して第１駆動軸２９の軸線周りに回動するものの、第２カム３２は、第１駆動軸２９の軸線周りに同心状に回動する構成となっているため、第１駆動軸２９の軸線に対して鉛直上方に張り出す寸法はほぼ不変となる。したがって、第２昇降ユニット３５は、依然として、第３昇降ユニット３６と略同一高さに配置される。
【００３９】
すると、プラテン１４の上面側には、記録用紙Ｐの幅方向となる左右方向で隣り合う第１昇降ユニット３４の間に、下方に向けて少しだけ落ちくぼんだ凹空間域Ｓが形成される。そして、この状態ではプラテン１４上の記録用紙Ｐは図５（ｂ）に一点鎖線で示すように複数（同図では５つ）の第１昇降ユニット３４により支持されることになる。
【００４０】
そして、この図５（ｂ）の状態において、一点鎖線で示す記録用紙Ｐ（膨潤比率が相対的に小さい記録用紙Ｐ）に対して印刷のためにインクが噴射され、その記録用紙Ｐがインクを吸収して小さく膨潤した場合には、図５（ｂ）において点線で示すように、記録用紙Ｐは、その小さな膨潤に伴う撓み変形部分を下方の凹空間域Ｓに落ち込ませる。すなわち、その記録用紙Ｐにおける膨潤に伴う撓み変形部分は、その撓み変形部分と対応した大きさとなるようにプラテン１４上に形成された凹空間域Ｓ内に落ち込んで収容され、記録ヘッド２２側（上方側）へ局所的に湾曲するようなこともない。
【００４１】
なお、プラテン１４上で記録用紙Ｐを支持する第１昇降ユニット３４が鉛直上方に向けて上昇することにより、記録用紙Ｐと記録ヘッド２２との間の距離（所謂、ペーパーギャップ）が変化することになる。したがって、この場合には、記録ヘッド２２のプラテン１４に対する鉛直方向での相対距離（所謂、プラテンギャップ）が、第１昇降ユニット３４の上昇量（記録ヘッド２２側への突出寸法）に合わせて調整される。
【００４２】
次に、記録用紙Ｐの膨潤比率が相対的に大きい場合には、図５（ｂ）に示す状態から、第１駆動軸２９を更に回転駆動することによって、第１駆動軸２９によって支持される第１カム３１が、その外周面（カム面）における凸面域を鉛直最上方となる位置に至るまで回動する。すると、第１昇降ユニット３４は、第１カム３１の外周面（カム面）において鉛直最上方となる位置に至った凸面域によって鉛直上方に更に押し上げられる。なお、この場合も、第１駆動軸２９によって支持される第２カム３２は、第１駆動軸２９の軸線周りに同心状に回動する構成となっているため、第１駆動軸２９の軸線に対して鉛直上方に張り出す寸法は不変となる。したがって、第２昇降ユニット３５は、依然として、第３昇降ユニット３６と略同一高さに配置される。
【００４３】
すると、図５（ｃ）に示すように、プラテン１４の上面側には、図５（ｂ）の場合よりも、下方に向けて深く落ちくぼんだ凹空間域Ｓが形成される。そして、この状態で、プラテン１４上の記録用紙Ｐは図５（ｃ）に一点鎖線で示すように複数（同図では５つ）の第１昇降ユニット３４により支持されることになる。
【００４４】
そして、この図５（ｃ）の状態において、一点鎖線で示す記録用紙Ｐ（膨潤比率が相対的に大きい記録用紙Ｐ）に対して印刷のためにインクが噴射され、その記録用紙Ｐがインクを吸収して大きく膨潤した場合には、図５（ｃ）において点線で示すように、記録用紙Ｐは、その大きな膨潤に伴う撓み変形部分を下方の凹空間域Ｓに落ち込ませる。すなわち、その記録用紙Ｐにおける膨潤に伴う撓み変形部分は、その撓み変形部分と対応した大きさとなるようにプラテン１４上に形成された凹空間域Ｓ内に落ち込んで収容され、記録ヘッド２２側（上方側）へ局所的に湾曲するようなこともない。
【００４５】
さらに、図５（ｄ）に示すように、本実施形態のプリンター１１によれば、プラテン１４上に給送される記録用紙Ｐの膨潤比率に応じて、左右方向で隣り合う第１昇降ユニット３４間の凹空間域Ｓ内において、第３昇降ユニット３６が記録ヘッド２２側への突出寸法を調整可能である。すなわち、第３昇降ユニット３６の上端面の高さが、第１昇降ユニット３４及び第２昇降ユニット３５の各上端面の高さの中間高さとなるように、第２駆動軸３０が回転駆動される。そのため、左右方向で隣り合う第１昇降ユニット３４間に形成される凹空間域Ｓの内面形状をインクの吸収により膨潤して撓み変形する記録用紙Ｐの撓み形状に合わせて調整することができる。
【００４６】
したがって、本実施形態では、以下に示す効果を得ることができる。
（１）プラテン１４は、各昇降ユニット３４，３５，３６の記録ヘッド２２側への突出態様が、それらの昇降ユニット３４，３５，３６により支持される記録用紙Ｐの種類に応じて調整されるため、各昇降ユニット３４，３５，３６間の凹空間域Ｓの大きさが記録用紙Ｐの膨潤に伴う撓み変形部分に対応した大きさに調整され得る。そして、記録用紙Ｐはその撓み変形部分が、記録用紙Ｐの種類に応じて大きさが調整された凹空間域Ｓ内に落ち込んで収容されることにより、記録用紙Ｐが局所的に大きく湾曲することが抑制される。したがって、記録用紙Ｐが、記録ヘッド２２側に大きく湾曲して記録ヘッド２２に接触することで汚染されることもないので、インクを吸収して膨潤する比率が異なる複数種類の記録用紙Ｐに対して十分な記録品質を確保することができる。
【００４７】
（２）記録用紙Ｐがインクを吸収して膨潤する比率が相対的に大きい場合には、記録用紙Ｐを支持する第１昇降ユニット３４の記録ヘッド２２側への突出寸法を増大させることにより、記録用紙Ｐの膨潤に伴う撓み変形部分を落ち込ませて収容するための凹空間域Ｓの大きさが増大する。そのため、記録用紙Ｐがインクを吸収して大きく膨潤する記録用紙Ｐの場合であっても、その記録用紙Ｐの膨潤に伴う撓み変形部分を確実に凹空間域Ｓ内に落ち込ませて収容することができる。一方、記録用紙Ｐがインクを吸収して膨潤する比率が相対的に小さい記録用紙Ｐの場合には、記録用紙Ｐを支持する第１昇降ユニット３４の記録ヘッド２２側への突出寸法を減少させることにより、記録用紙Ｐの膨潤に伴う撓み変形部分を落ち込ませて収容するための凹空間域Ｓの大きさが減少する。そのため、記録用紙Ｐは、インクを吸収して小さく膨潤する記録用紙Ｐの場合であって且つ例えば剛性が低いような記録用紙Ｐの場合にも、その記録用紙Ｐの膨潤に伴う撓み変形部分が不必要に大きく凹空間域Ｓ内に落ち込むことが抑制されるため、記録用紙Ｐの平面性を維持することができる。すなわち、記録用紙Ｐがインクを吸収して膨潤する比率に応じて、記録用紙Ｐの平面性が適宜調整されることにより、これらの記録用紙Ｐに対して十分な記録品質を確保することができる。
【００４８】
（３）第２駆動軸３０の回転駆動に伴い第３カム３３が回転することにより、プラテン１４上の第１昇降ユニット３４間の凹空間域Ｓ内において第３昇降ユニット３６が記録ヘッド２２側への突出態様を、第３昇降ユニット３６の上端面の高さが第１昇降ユニット３４及び第２昇降ユニット３５の各上端面の高さの中間高さとなるように調整可能である。したがって、プラテン１４上の凹空間域Ｓの内面形状をインクの吸収により膨潤して撓み変形する記録用紙Ｐの撓み形状に合わせて、より小刻みに調整することができる。
【００４９】
（第２の実施形態）
次に、本発明の第２の実施形態を図６〜図８に基づき説明する。なお、第２の実施形態は、記録用紙を支持する昇降ユニットが、駆動軸の回転駆動に連動して、記録用紙の幅方向で隣り合う間隔を変更するように昇降する点が第１の実施形態と異なっている。したがって、以下の説明においては、第１の実施形態と相違する部分について主に説明するものとし、第１の実施形態と同一又は相当する構成には同一符号を付して重複説明を省略するものとする。
【００５０】
図６及び図７に示すように、本実施形態のプラテン１４において、第１駆動軸２９には、外周面をカム面とする複数（本実施形態では５つ）の円形状の第１カム３１が、第１駆動軸２９の長手方向（左右方向）に等間隔の配置態様で、第１駆動軸２９と一体回転するように支持されている。なお、これらの第１カム３１は、第１駆動軸２９に対して、該第１駆動軸２９が第１カム３１の径方向の中心から外れた位置（偏心位置）を挿通した状態で固定されている。そのため、第１カム３１は、第１駆動軸２９の回転駆動に伴って、第１駆動軸２９の軸線周りに偏心して該第１駆動軸２９と一体回転する偏心カムとして機能するようになっている。
【００５１】
また、第１駆動軸２９において、第１カム３１に対して第１駆動軸２９の軸線方向の両側で隣接する位置には、第１カム３１よりも小さな径で同じく外周面をカム面とする複数（本実施形態では８つ）の円形状の第３カム３３が支持されている。なお、第３カム３３は、第１駆動軸２９が第３カム３３の径方向の中心位置を挿通しているため、第１駆動軸２９の回転駆動に伴って、第１駆動軸２９の軸線周りに同心状に該第１駆動軸２９と一体回転するようになっている。
【００５２】
一方、第２駆動軸３０には、第１駆動軸２９によって支持される第１カム３１とほぼ同径で同じく外周面をカム面とする複数（本実施形態では４つ）の円形状の第２カム３２が、第２駆動軸３０の長手方向（左右方向）に等間隔の配置態様で、第２駆動軸３０と一体回転するように支持されている。なお、これらの第２カム３２は、第２駆動軸３０に対して、該第２駆動軸３０が第２カム３２の径中心（偏心位置）から外れた位置を挿通した状態で固定されている。そのため、第２カム３２は、第２駆動軸３０の回転駆動に伴って、第２駆動軸３０の軸心周りに偏心して該第２駆動軸３０と一体回転する偏心カムとして機能するようになっている。また、第２カム３２は、第２駆動軸３０の軸線方向において、第１駆動軸２９の軸線方向で互いに隣り合う第３カム３３同士の中間位置に各々対応する各位置に配置されている。
【００５３】
そして、本実施形態のプリンター１１では、図６及び図８（ａ）に示すように、初期設定状態では、各昇降ユニット２６（３４，３５，３６）は、各々の上端面が略同一高さとなるように、記録ヘッド２２側への突出態様が設定される。そして、この初期設定状態では、第１カム３１及び第３カム３３を支持する第１駆動軸２９は、第３カムの外周面（カム面）を第３昇降ユニット３６の下面に当接させつつ、第１カム３１における第１駆動軸２９の軸線からの距離が最も小さいカム面領域を第１昇降ユニット３４の下面に当接させた状態で回転停止している。すなわち、初期設定状態において、第１カム３１は、その外周面（カム面）における第１駆動軸２９の軸線からの距離が最も大きいカム面領域である凸面域が第１昇降ユニット３４の下面から最も離れた鉛直下方に位置するようになっている。
【００５４】
また、図６に示すように、この初期設定状態において、第２カム３２を支持する第２駆動軸３０は、第２カム３２における第２駆動軸３０の軸線からの距離が最も小さいカム面領域を第２昇降ユニット３５の下面に当接させた状態で回転停止している。すなわち、初期設定状態において、第２カム３２は、その外周面（カム面）における第２駆動軸３０の軸線からの距離が最も大きいカム面領域である凸面域が第２昇降ユニット３５の下面から最も離れた鉛直下方に位置するようになっている。
【００５５】
ここで、本実施形態のプリンター１１において、プラテン１４上に凹空間域Ｓを形成するために各昇降ユニット３４，３５，３６の突出態様を調整する場合について以下に説明する。
【００５６】
本実施形態でも、まず、初期設定状態を示す図８（ａ）の状態から第１駆動軸２９を回転駆動することによって、第１駆動軸２９によって支持される第１カム３１が、その外周面（カム面）における凸面域を鉛直最上方となる位置に至るまで回動する。すると、図８（ｂ）に示すように、プラテン１４の上面側には、左右方向で隣り合う第１昇降ユニット３４の間に下方に向けて落ちくぼんだ凹空間域Ｓが形成される。そして、この状態ではプラテン１４上の記録用紙Ｐは図８（ｂ）に一点鎖線で示すように複数（同図では５つ）の第１昇降ユニット３４により支持されることになる。
【００５７】
そして、この図８（ｂ）の状態において、一点鎖線で示す記録用紙Ｐに対して印刷のためにインクが噴射され、その記録用紙Ｐがインクを吸収して膨潤した場合には、図８（ｂ）において点線で示すように、記録用紙Ｐは、その膨潤に伴う撓み変形部分を下方の凹空間域Ｓに落ち込ませる。すなわち、その記録用紙Ｐにおける膨潤に伴う撓み変形部分は、プラテン１４上に形成された凹空間域Ｓ内に落ち込んで収容され、記録ヘッド２２側（上方側）へ局所的に湾曲するようなこともない。
【００５８】
さらに、図８（ｃ）に示すように、本実施形態のプリンター１１によれば、左右方向で隣り合う第１昇降ユニット３４間の凹空間域Ｓ内において、第２昇降ユニット３５が記録ヘッド２２側への突出寸法を調整可能である。すなわち、図８（ｂ）に示す状態から、第２昇降ユニット３５の上端面の高さが第１昇降ユニット３４の上端面の高さと同じになるように、第２駆動軸３０が回転駆動される。
【００５９】
すると、プラテン１４上に載置された記録用紙Ｐは、左右方向で隣り合う第１昇降ユニット３４間の大きな凹空間域が、第２昇降ユニット３５によって左右方向にそれぞれ分割される。そのため、記録用紙Ｐは、記録ヘッド２２から吐出されたインクを吸収して膨潤した際に、その膨潤を吸収するように、第３昇降ユニット３６の上面との間に細分して形成された小さな凹空間域Ｓ内に小刻みに落ち込むことにより、それらの小刻みな撓み変形部分が収容される。
【００６０】
すなわち、本実施形態のプリンター１１によれば、記録用紙Ｐが大きく膨潤する場合であっても、各昇降ユニット２６のうち、記録用紙Ｐを支持する昇降ユニット２６（この場合、第１昇降ユニット３４と第２昇降ユニット３５）が左右方向で隣り合う間隔を小さくするように、記録用紙Ｐを支持する第１昇降ユニット３４と略同一の高さ位置に至るまで第２昇降ユニット３５を上昇させる。その結果、記録用紙Ｐがプラテン１４上にて局所的に大きく湾曲することを抑制するように、プラテン１４上に分散して細分形成された多数の凹空間域Ｓによって、記録用紙Ｐの膨潤による小刻みな撓み変形部分を分散して確実に収容することができる。
【００６１】
したがって、本実施形態では、上記第１の実施形態の効果（１）、（２）に加えて以下に示す効果を得ることができる。
（４）記録用紙Ｐがインクを吸収して膨潤する比率に応じて、記録用紙Ｐがプラテン１４上で隣り合う昇降ユニット２６間の凹空間域Ｓ内に落ち込む領域の個数が適宜調整される。そのため、記録用紙Ｐがインクを吸収して膨潤する比率に応じて、その膨潤に伴う撓み変形部分を落ち込ませる凹空間域Ｓの大きさを、各昇降ユニット２６の突出位置、突出個数により簡便に調整することができる。
【００６２】
なお、上記各実施形態は、以下のような別の実施形態に変更してもよい。
・上記各実施形態において、駆動軸２９，３０の回転駆動に伴い各カム３１，３２，３３が回転したことに伴い、各昇降ユニット２６のうち、上端面が凹空間域Ｓの底面を構成することになる昇降ユニット２６を下降させるようにしてもよい。この場合も、複数の昇降ユニット２６の記録ヘッド２２側への突出態様を調整することになる。すなわち、記録用紙Ｐを支持するために他の昇降ユニット２６よりも相対的に記録ヘッド２２側に突出する昇降ユニット２６と、この突出した昇降ユニット２６よりも相対的に凹んだ位置にある昇降ユニット２６とで凹空間域Ｓが形成されるならば、同様の作用効果を得ることができる。
【００６３】
・上記各実施形態において、プラテン１４上で各昇降ユニット２６を鉛直下方に付勢するための付勢機構を設けてもよい。この場合、駆動軸２９，３０の回転駆動に連動して、各カム３１，３２，３３上に載置された昇降ユニット２６を降下させる際に、これらの昇降ユニット２６の高さ位置を付勢機構の付勢力に従って迅速に調整することができる。なお、この場合、付勢機構として、コイルバネ、板ばね等を採用することができる。また、付勢機構として、昇降ユニット２６の自重を増大させるための部材を昇降ユニット２６内に収容する構成としてもよい。
【００６４】
・上記各実施形態において、各昇降ユニット２６を昇降させるための昇降機構は、カム機構に限定されず、例えば、上下方向の伸縮量を調整可能な部材を昇降ユニット２６に対して鉛直下方から押圧可能に配置してもよい。また、これらの昇降ユニット２６の高さ位置を個別に調整するために、各昇降ユニット２６に各々対応するように昇降機構を設けてもよい。
【００６５】
・上記第２実施形態において、記録用紙Ｐがインクを吸収して膨潤する比率に応じて、各昇降ユニット２６が、プラテン１４上から突出する突出個数を変更することなく、プラテン１４上から突出する突出位置のみを適宜変更する構成としてもよい。この場合、記録用紙Ｐがインクを吸収して膨潤する比率に応じて、プラテン１４上で隣り合う昇降ユニット２６間の凹空間域Ｓの大きさを調整するように、これらの昇降ユニット２６がプラテン１４上で隣り合う間隔を適宜変更する。その結果、記録用紙Ｐがインクを吸収して大きく膨潤した場合であっても、その膨潤による撓み変形部分を確実に収容可能となる凹空間域を簡便に形成することができる。
【００６６】
・上記各実施形態において、記録用紙Ｐが記録ヘッド２２から吐出されたインクを着弾して吸収する比率が記録用紙Ｐの領域毎に相違することを考慮して、各昇降ユニット２６が、プラテン１４上から突出する寸法、プラテン１４上から突出する突出位置、及びプラテン１４上から突出する個数のうち少なくとも一つを、プラテン１４上の領域毎に調整する構成としてもよい。
【００６７】
・上記各実施形態において、各昇降ユニット２６は、プラテン１４上において、記録用紙Ｐの搬送方向となる前後方向に並列して配置してもよい。また、これらの昇降ユニット２６は、プラテン１４上において、前後方向及び左右方向に沿って平面状に拡がるように並列して配置してもよい。
【００６８】
・上記実施形態において、記録媒体として、長尺状のロール紙を適用してもよい。また、記録媒体としては、紙ではなく樹脂フィルム等の他の素材を適用してもよい。
・上記実施形態において、記録装置はインクジェット式プリンター１１に限定されない。例えば、熱転写プリンター、昇華型プリンター等の他の印刷様式のプリンターにも適用できる。
【符号の説明】
【００６９】
１１…記録装置としてのプリンター、１４…支持手段としてのプラテン、２２…記録手段としての記録ヘッド、２６…支持部としての昇降ユニット、３４…支持部及び第１の支持部としての第１昇降ユニット、３５…支持部及び第２の支持部としての第２昇降ユニット、３６…支持部としての第３昇降ユニット、２９…調整手段としての第１駆動軸、３０…調整手段としての第２駆動軸、Ｐ…記録媒体としての記録用紙。
【図１】
2010201780.tif 000003
【図２】
2010201780.tif 000004
【図３】
2010201780.tif 000005
【図４】
2010201780.tif 000006
【図５】
2010201780.tif 000007
【図６】
2010201780.tif 000008
【図７】
2010201780.tif 000009
【図８】
2010201780.tif 000010